(57)【要約】【課題】移動していない利用者の操作／閲覧の妨げにならず、かつ、見やすい画面構成を保ったまま、画面の向きを切り換えないようにできる表示装置を提供する。【解決手段】人感センサ６により検出されたディスプレイ２の画面を視認可能な人が、ディスプレイ２の現在の画面方向に存在すると人判定部１aが判定したとき、ディスプレイ２を制御する表示制御部１bは、ディスプレイ２の画面方向の切換を行わない。一方、人感センサ６により検出されたディスプレイ２の画面を視認可能な人が、ディスプレイ２の現在の画面方向に存在しないと人判定部１aが判定したとき、表示制御部１bによりディスプレイ２を制御して、ディスプレイ２の画面方向を人が存在する他の画面方向に切り換える。【選択図】図１
2014067278.tif 000002
【特許請求の範囲】
【請求項１】
表示する画面を複数の画面方向に切り換え可能な表示部と、
上記表示部が切り換え可能な上記複数の画面方向の夫々に対して、上記表示部の画面を視認可能な人の存在を検出する人感センサと、
上記人感センサにより検出された上記表示部の画面を視認可能な人が、上記表示部の現在の画面方向に存在するか否かを判定する人判定部と、
上記人感センサにより検出された上記表示部の画面を視認可能な人が、上記表示部の現在の画面方向に存在すると上記人判定部が判定したとき、上記表示部の画面方向を切り換えない一方、上記人感センサにより検出された上記表示部の画面を視認可能な人が、上記表示部の現在の画面方向に存在しないと上記人判定部が判定したとき、上記表示部の画面方向を上記人が存在する他の画面方向に切り換えるように、上記表示部を制御する表示制御部と
を備えたことを特徴とする表示装置。
【請求項２】
請求項１に記載の表示装置において、
上記表示制御部は、
上記複数の画面方向に対して優先順位が予め設定されており、
上記人感センサにより検出された上記表示部の画面を視認可能な人が複数存在しかつその複数の人が複数の画面方向に存在するとき、かつ、上記表示部の現在の画面方向に人が存在しないと上記人判定部が判定したとき、上記人が存在する複数の画面方向のうちの上記優先順位の最も高い画面方向に上記表示部の画面方向を切り換えることを特徴とする表示装置。
【請求項３】
請求項２に記載の表示装置において、
矩形状の表示領域を有する上記表示部を制御する上記表示制御部の上記優先順位は、
上記複数の画面方向のうちの上記表示領域の長辺側の２つの画面方向を基準画面方向とする横モードのとき、上記表示領域の長辺側の２つの画面方向が他の画面方向よりも高く設定された上記横モードの優先順位であり、
上記表示制御部は、
上記横モードにおいて、上記人感センサにより検出された上記表示部の画面を視認可能な人が複数存在しかつその複数の人が複数の画面方向に存在するとき、かつ、上記表示部の現在の画面方向に人が存在しないと上記人判定部が判定したとき、上記複数の画面方向のうちの上記横モードの優先順位の最も高い画面方向に上記表示部の画面方向を切り換えることを特徴とする表示装置。
【請求項４】
請求項３に記載の表示装置において、
上記表示制御部は、
上記表示領域の長辺側の２つの画面方向にのみ上記表示部を切り換える上記横モードにおいて、上記表示部の現在の画面方向に人が存在せずかつ上記現在の画面方向に対向する画面方向に人が存在すると上記人判定部が判定したとき、上記表示部の現在の画面方向に対向する画面方向に切り換える一方、上記表示領域の長辺側の２つの画面方向のいずれにも人が存在しないと上記人判定部が判定したとき、上記表示部の画面方向を切り換えないことを特徴とする表示装置。
【請求項５】
請求項２または３に記載の表示装置において、
矩形状の表示領域を有する上記表示部を制御する上記表示制御部の上記優先順位は、
上記複数の画面方向のうちの上記表示領域の短辺側の２つの画面方向を基準画面方向とする縦モードのとき、上記表示領域の短辺側の２つの画面方向が他の画面方向よりも高く設定された上記縦モードの優先順位であり、
上記表示制御部は、
上記縦モードにおいて、上記人感センサにより検出された上記表示部の画面を視認可能な人が複数存在しかつその複数の人が複数の画面方向に存在するとき、かつ、上記表示部の現在の画面方向に人が存在しないと上記人判定部が判定したとき、上記複数の画面方向のうちの上記縦モードの優先順位の最も高い画面方向に上記表示部の画面方向を切り換えることを特徴とする表示装置。
【請求項６】
請求項５に記載の表示装置において、
上記表示制御部は、
上記表示領域の短辺側の２つの画面方向にのみ上記表示部を切り換える上記縦モードにおいて、上記表示部の現在の画面方向に人が存在せずかつ上記現在の画面方向に対向する画面方向に人が存在すると上記人判定部が判定したとき、上記表示部の現在の画面方向に対向する画面方向に切り換える一方、上記表示領域の短辺側の２つの画面方向のいずれにも人が存在しないと上記人判定部が判定したとき、上記表示部の画面方向を切り換えないことを特徴とする表示装置。
【請求項７】
表示する画面を複数の画面方向に切り換え可能な表示部の上記複数の画面方向の夫々に対して、上記表示部の画面を視認可能な人の存在を人感センサにより検出するステップと、
上記人感センサにより検出された上記表示部の画面を視認可能な人が、上記表示部の現在の画面方向に存在するか否かを人判定部により判定するステップと、
上記人感センサにより検出された上記表示部の画面を視認可能な人が、上記表示部の現在の画面方向に存在すると上記人判定部が判定したとき、表示制御部により上記表示部を制御して、上記表示部の画面方向を切り換えないステップと、
上記人感センサにより検出された上記表示部の画面を視認可能な人が、上記表示部の現在の画面方向に存在しないと上記人判定部が判定したとき、表示制御部により上記表示部を制御して、上記表示部の画面方向を上記人が存在する他の画面方向に切り換えるステップと
を有することを特徴とする表示方法。
【請求項８】
請求項７に記載の表示方法の上記各ステップをコンピュータに実行させることを特徴とする表示プログラム。
【請求項９】
請求項８に記載の表示プログラムを記録したことを特徴とするコンピュータ読み取り可能な記録媒体。
【発明の詳細な説明】
【技術分野】
【０００１】
この発明は、表示装置、表示方法、表示プログラムおよびコンピュータ読み取り可能な記録媒体に関する。
【背景技術】
【０００２】
従来、スマートホンやタブレットの情報端末は、搭載されている加速度センサで３軸方向の角度を検知し、利用者が端末を持っている向きに合わせて、画面の縦横表示を自動的に切り替える機能を備えている。
【０００３】
ところが、テーブルに置いて使うような大画面の情報端末では、端末自体を手に持って回転させることが難しく、かつ、複数の利用者が端末の周囲を取り囲んで使用するというシーンもあり、人数と端末の位置関係によって適切な画面方向を決定する必要がある。
【０００４】
そこで、従来の第１の表示装置では、人感センサの情報に基づいて画面の向きを決定し、複数人いる場合は画面を分割して表示するものが提案されている(例えば、特許文献１(特開２０１２−２７７７０号公報)、特許文献２(特開２０１１−５４０６９号公報)参照)。
【０００５】
また、従来の第２の表示装置では、ディスプレイの向かい合った二方向に対し、人数の多いほうの辺に対して向きを優先して表示するものが提案されている(例えば、特許文献３(特開２０１１−１９２０３０号公報)参照)。
【先行技術文献】
【特許文献】
【０００６】
【特許文献１】特開２０１２−２７７７０号公報
【特許文献２】特開２０１１−５４０６９号公報
【特許文献３】特開２０１１−１９２０３０号公報
【発明の概要】
【発明が解決しようとする課題】
【０００７】
上記従来の第１,第２の表示装置では、複数人の利用者がいるシーンにおいて、人数と位置関係に配慮して表示する手法が提案されているが、人物の時間的な位置の変化について十分な配慮がなされておらず、人が端末の周囲を移動している最中には、画面内の分割数やその向きが慌ただしく変化し、他の利用者の操作／閲覧が妨げられることが容易に想像できる。
【０００８】
また、上記従来の第１,第２の表示装置では、初めから定位置で動かずに使っている利用者においては、他の利用者が増えることによって、分割された小さな画面になって見づらくなることを余儀なくされ、勝手に人数の多い方に向きを変えられてしまうという問題がある。
【０００９】
また、上記従来の第１,第２の表示装置では、表示する画面の大きさや解像度に合わせて縦横いずれか一方のみに最適化して作られているものがあり、それらは、画面を分割したり、縦横の向きを変えて表示したりすることで、かえって閲覧しづらくなるという問題がある。
【００１０】
そこで、この発明の課題は、移動していない利用者の操作／閲覧の妨げにならず、かつ、見やすい画面構成を保ったまま、画面の向きを切り換えないようにできる表示装置、表示方法、表示プログラムおよびその表示プログラムが記録されたコンピュータ読み取り可能な記録媒体を提供することにある。
【課題を解決するための手段】
【００１１】
上記課題を解決するため、この発明の表示装置は、
表示する画面を複数の画面方向に切り換え可能な表示部と、
上記表示部が切り換え可能な上記複数の画面方向の夫々に対して、上記表示部の画面を視認可能な人の存在を検出する人感センサと、
上記人感センサにより検出された上記表示部の画面を視認可能な人が、上記表示部の現在の画面方向に存在するか否かを判定する人判定部と、
上記人感センサにより検出された上記表示部の画面を視認可能な人が、上記表示部の現在の画面方向に存在すると上記人判定部が判定したとき、上記表示部の画面方向を切り換えない一方、上記人感センサにより検出された上記表示部の画面を視認可能な人が、上記表示部の現在の画面方向に存在しないと上記人判定部が判定したとき、上記表示部の画面方向を上記人が存在する他の画面方向に切り換えるように、上記表示部を制御する表示制御部と
を備えたことを特徴とする。
【００１２】
ここで、「画面方向」とは、例えば矩形状の表示領域において対向する２辺の一方の辺側を画面の下とする方向のことであり、対向する２つの長辺の一方を画面方向とすると、その画面方向に存在する人からは横長の表示領域として視認され、対向する２つの短辺の一方を画面方向とすると、その画面方向に存在する人からは縦長の表示領域として視認される。
【００１３】
なお、上記表示部の表示領域の形状は矩形に限定されることなく、円形や三角形または五角形以上の多角形などの様々な形状の表示領域であってもよく、画面方向は、表示部の表示領域の形状に応じて適宜設定すればよい。
【００１４】
上記構成によれば、表示部が切り換え可能な複数の画面方向の夫々に対して、人感センサにより表示部の画面を視認可能な人の存在を検出する。そして、人感センサにより検出された表示部の画面を視認可能な人が、表示部の現在の画面方向に存在すると人判定部が判定したとき、表示部を制御する表示制御部は、表示部の画面方向の切換を行わない。一方、人感センサにより検出された表示部の画面を視認可能な人が、表示部の現在の画面方向に存在しないと人判定部が判定したとき、表示制御部は、人感センサの検出結果に基づいて表示部を制御して、表示部の画面方向を人が存在する他の画面方向に切り換える。これによって、表示部の現在の画面方向に人が存在し続けるときは、画面を分割することなく表示部の画面方向はそのまま保たれるので、移動していない利用者の操作／閲覧の妨げにならず、かつ、見やすい画面構成を保ったまま、画面の向きを切り換えないようにできる。
【００１５】
また、一実施形態の表示装置では、
上記表示制御部は、
上記複数の画面方向に対して優先順位が予め設定されており、
上記人感センサにより検出された上記表示部の画面を視認可能な人が複数存在しかつその複数の人が複数の画面方向に存在するとき、かつ、上記表示部の現在の画面方向に人が存在しないと上記人判定部が判定したとき、上記人が存在する複数の画面方向のうちの上記優先順位の最も高い画面方向に上記表示部の画面方向を切り換える。
【００１６】
上記実施形態によれば、人感センサにより検出された表示部の画面を視認可能な人が複数存在しかつその複数の人が複数の画面方向に存在するとき、かつ、表示部の現在の画面方向に人が存在しないと人判定部が判定したとき、表示制御部により表示部を制御して、人が存在する複数の画面方向のうちの優先順位の最も高い画面方向に表示部の画面方向を切り換える。すなわち、表示部の現在の画面方向に人が存在し続けるときは、表示部の画面方向はそのまま保たれ、表示部の現在の画面方向に人がいなくなると、優先順位に従って表示部の画面方向が切り換わる。したがって、予め設定された優先順位に従って、より適切な画面方向に表示部を切り換えることができる。
【００１７】
また、一実施形態の表示装置では、
矩形状の表示領域を有する上記表示部を制御する上記表示制御部の上記優先順位は、
上記複数の画面方向のうちの上記表示領域の長辺側の２つの画面方向を基準画面方向とする横モードのとき、上記表示領域の長辺側の２つの画面方向が他の画面方向よりも高く設定された上記横モードの優先順位であり、
上記表示制御部は、
上記横モードにおいて、上記人感センサにより検出された上記表示部の画面を視認可能な人が複数存在しかつその複数の人が複数の画面方向に存在するとき、かつ、上記表示部の現在の画面方向に人が存在しないと上記人判定部が判定したとき、上記複数の画面方向のうちの上記横モードの優先順位の最も高い画面方向に上記表示部の画面方向を切り換える。
【００１８】
上記実施形態によれば、表示領域の長辺側の２つの画面方向を基準画面方向とする横モードにおいて、人感センサにより検出された表示部の画面を視認可能な人が複数存在しかつその複数の人が複数の画面方向に存在するとき、かつ、表示部の現在の画面方向に人が存在しないと人判定部が判定したとき、表示制御部により表示部を制御して、複数の画面方向のうちの横モードの優先順位の最も高い画面方向に表示部の画面方向を切り換える。したがって、表示領域の長辺側の２つの画面方向が基準画面方向である横モードに対応した優先順位を用いることによって、より適切な画面方向に表示部を切り換えることができる。
【００１９】
また、一実施形態の表示装置では、
上記表示制御部は、
上記表示領域の長辺側の２つの画面方向にのみ上記表示部を切り換える上記横モードにおいて、上記表示部の現在の画面方向に人が存在せずかつ上記現在の画面方向に対向する画面方向に人が存在すると上記人判定部が判定したとき、上記表示部の現在の画面方向に対向する画面方向に切り換える一方、上記表示領域の長辺側の２つの画面方向のいずれにも人が存在しないと上記人判定部が判定したとき、上記表示部の画面方向を切り換えない。
【００２０】
上記実施形態によれば、表示領域の短辺側の２つの画面方向には表示部を切り換えずに表示領域の長辺側の２つの画面方向を基準画面方向とする横モードにおいて、表示部の現在の画面方向に人が存在せずかつ上記現在の画面方向に対向する画面方向に人が存在すると人判定部が判定したときは、表示制御部により表示部の現在の画面方向に対向する画面方向に切り換える一方、表示領域の長辺側の２つの画面方向のいずれにも人が存在しないと人判定部が判定したとき、表示部の画面方向を切り換えずに現在の画面方向のままとする。したがって、表示領域の長辺側の２つの画面方向(基準画面方向)に切り換える横モードの優先順位を用いることによって、基準画面方向に応じたより適切な画面方向に表示部を切り換えることができる。
【００２１】
また、一実施形態の表示装置では、
矩形状の表示領域を有する上記表示部を制御する上記表示制御部の上記優先順位は、
上記複数の画面方向のうちの上記表示領域の短辺側の２つの画面方向を基準画面方向とする縦モードのとき、上記表示領域の短辺側の２つの画面方向が他の画面方向よりも高く設定された上記縦モードの優先順位であり、
上記表示制御部は、
上記縦モードにおいて、上記人感センサにより検出された上記表示部の画面を視認可能な人が複数存在しかつその複数の人が複数の画面方向に存在するとき、かつ、上記表示部の現在の画面方向に人が存在しないと上記人判定部が判定したとき、上記複数の画面方向のうちの上記縦モードの優先順位の最も高い画面方向に上記表示部の画面方向を切り換える。
【００２２】
上記実施形態によれば、表示領域の短辺側の２つの画面方向を基準画面方向とする縦モードにおいて、人感センサにより検出された表示部の画面を視認可能な人が複数存在しかつその複数の人が複数の画面方向に存在するとき、かつ、表示部の現在の画面方向に人が存在しないと人判定部が判定したとき、表示制御部により表示部を制御して、複数の画面方向のうちの縦モードの優先順位の最も高い画面方向に表示部の画面方向を切り換える。したがって、表示領域の短辺側の２つの画面方向が基準画面方向である縦モードに対応した優先順位を用いることによって、より適切な画面方向に表示部を切り換えることができる。
【００２３】
また、一実施形態の表示装置では、
上記表示制御部は、
上記表示領域の短辺側の２つの画面方向にのみ上記表示部を切り換える上記縦モードにおいて、上記表示部の現在の画面方向に人が存在せずかつ上記現在の画面方向に対向する画面方向に人が存在すると上記人判定部が判定したとき、上記表示部の現在の画面方向に対向する画面方向に切り換える一方、上記表示領域の短辺側の２つの画面方向のいずれにも人が存在しないと上記人判定部が判定したとき、上記表示部の画面方向を切り換えない。
【００２４】
上記実施形態によれば、表示領域の長辺側の２つの画面方向には表示部を切り換えずに表示領域の短辺側の２つの画面方向を基準画面方向とする縦モードにおいて、表示部の現在の画面方向に人が存在せずかつ上記現在の画面方向に対向する画面方向に人が存在すると人判定部が判定したときは、表示制御部により表示部の現在の画面方向に対向する画面方向に切り換える一方、表示領域の短辺側の２つの画面方向のいずれにも人が存在しないと人判定部が判定したとき、表示部の画面方向を切り換えずに現在の画面方向のままとする。したがって、表示領域の短辺側の２つの画面方向(基準画面方向)に切り換える縦モードの優先順位を用いることによって、基準画面方向に応じたより適切な画面方向に表示部を切り換えることができる。
【００２５】
また、この発明の表示方法では、
表示する画面を複数の画面方向に切り換え可能な表示部の上記複数の画面方向の夫々に対して、上記表示部の画面を視認可能な人の存在を人感センサにより検出するステップと、
上記人感センサにより検出された上記表示部の画面を視認可能な人が、上記表示部の現在の画面方向に存在するか否かを人判定部により判定するステップと、
上記人感センサにより検出された上記表示部の画面を視認可能な人が、上記表示部の現在の画面方向に存在すると上記人判定部が判定したとき、表示制御部により上記表示部を制御して、上記表示部の画面方向を切り換えないステップと、
上記人感センサにより検出された上記表示部の画面を視認可能な人が、上記表示部の現在の画面方向に存在しないと上記人判定部が判定したとき、表示制御部により上記表示部を制御して、上記表示部の画面方向を上記人が存在する他の画面方向に切り換えるステップと
を有することを特徴とする。
【００２６】
上記構成によれば、表示部が切り換え可能な複数の画面方向の夫々に対して、人感センサにより表示部の画面を視認可能な人の存在を検出する。そして、人感センサにより検出された表示部の画面を視認可能な人が、表示部の現在の画面方向に存在すると人判定部が判定したとき、表示部を制御する表示制御部は、表示部の画面方向の切換を行わない。一方、人感センサにより検出された表示部の画面を視認可能な人が、表示部の現在の画面方向に存在しないと人判定部が判定したとき、表示制御部は、人感センサの検出結果に基づいて表示部を制御して、表示部の画面方向を人が存在する他の画面方向に切り換える。これによって、表示部の現在の画面方向に人が存在し続けるときは、画面を分割することなく表示部の画面方向はそのまま保たれるので、移動していない利用者の操作／閲覧の妨げにならず、かつ、見やすい画面構成を保ったまま、画面の向きを切り換えないようにできる。
【００２７】
また、この発明の表示プログラムでは、
上記の表示方法の上記各ステップをコンピュータに実行させることを特徴とする。
【００２８】
上記構成によれば、上記表示方法の各ステップをコンピュータに実行させることによって、表示部の現在の画面方向に人が存在し続けるときは、画面を分割することなく表示部の画面方向はそのまま保たれるので、移動していない利用者の操作／閲覧の妨げにならず、かつ、見やすい画面構成を保ったまま、画面の向きを切り換えないようにできる。
【００２９】
また、この発明のコンピュータ読み取り可能な記録媒体では、
上記の表示プログラムを記録したことを特徴とする。
【００３０】
上記構成によれば、記録された表示プログラムの各ステップをコンピュータに実行させることによって、表示部の現在の画面方向に人が存在し続けるときは、画面を分割することなく表示部の画面方向はそのまま保たれるので、移動していない利用者の操作／閲覧の妨げにならず、かつ、見やすい画面構成を保ったまま、画面の向きを切り換えないようにできる。
【発明の効果】
【００３１】
以上より明らかなように、この発明によれば、移動していない利用者の操作／閲覧の妨げにならず、かつ、見やすい画面構成を保ったまま、画面の向きを切り換えないようにできる表示装置、表示方法、表示プログラムおよびコンピュータ読み取り可能な記録媒体を実現することができる。
【図面の簡単な説明】
【００３２】
【図１】図１はこの発明の実施の一形態の表示装置の構成を示すブロック図である。
【図２】図２は上記表示装置の画面方向を説明するための図である。
【図３Ａ】図３Ａは上記表示装置の画面方向に対する人の存在の有無を示す図である。
【図３Ｂ】図３Ｂは上記表示装置において縦横表示が可能なときの優先順位の例を示す図である。
【図３Ｃ】図３Ｃは上記表示装置において縦横表示が不可のときの優先順位の例を示す図である。
【図４】図４は上記表示装置の表示動作を説明するフローチャートである。
【図５】図５は図４に示す画面方向切換処理を説明するフローチャートである。
【図６】図６(A)は現在の画面方向に人が存在する場合を示す模式図であり、図６(B)は縦横表示が可能な場合において図６(A)の状態から他の画面方向に人が増えた場合を示す模式図である。
【図７】図７(A)は現在の画面方向に人が存在する場合を示す模式図であり、図７(B)は縦横表示が可能な場合において図７(A)の状態の現在の画面方向から人がいなくなった場合を示す模式図であり、図７(C)は縦横表示が不可の場合において図７(A)の状態の現在の画面方向から人がいなくなった場合を示す模式図である。
【発明を実施するための形態】
【００３３】
以下、この発明の表示装置、表示方法、表示プログラムおよびコンピュータ読み取り可能な記録媒体を図示の実施の形態により詳細に説明する。
【００３４】
図１はこの発明の実施の一形態の表示装置の構成を示すブロック図を示している。
【００３５】
この実施の一形態の表示装置は、図１に示すように、制御装置１と、制御装置１からの表示制御信号が入力される表示部の一例としてのディスプレイ２と、制御装置１に操作信号を出力するタッチパネル３と、制御装置１により読み書きされるフラッシュメモリ４と、ＲＡＭ(Random Access Memory：ランダム・アクセス・メモリー)と、ディスプレイ２の画面を視認可能な人の存在を検出する人感センサ６とを備えている。
【００３６】
上記人感センサ６は、赤外線を使用して周囲温度の温度変化を感知して動作するものでもよいし、超音波の送受信機を備えた超音波方式や、可視光を送出してその反射光を検知する方式など、公知の方式のものを適用することもできる。また、上記人感センサとして、デジタルカメラで普及している顔認識処理を適用し、撮像手段により撮像された撮像画像に顔認識処理を行うことによって人の存在を検出するものでもよい。
【００３７】
また、上記制御装置１は、マイクロコンピュータと入出力回路などからなり、ディスプレイ２の現在の画面方向に人が存在するか否かを判定する人判定部１aと、上記人判定部１aの判定結果に基づいて、ディスプレイ２を制御する表示制御部１bとを有する。
【００３８】
図２は上記表示装置の画面方向を説明するための図を示している。上記表示装置の矩形状の表示領域２aの長辺側の２つの画面方向を「ａ」、「ｃ」とし、矩形状の表示領域の短辺側の２つの画面方向を「ｂ」、「ｄ」としている。ここで、例えば画面方向「ａ」としたとき、表示領域２aの下側の長辺を表示画面の下方とする。また、制御装置１(図１に示す)は、表示装置の起動時において、例として画面方向の初期設定を「ａ」としている。
【００３９】
図３Ａは上記表示装置の画面方向に対する人の存在の有無を示しており、図３Ａにおいて、右側の表示領域の模式図では丸印が人を表し、長方形の表示領域の下側の長辺の画面方向「ａ」にふたりの人が存在し、表示領域の右側の短辺の画面方向「ｂ」にひとりの人が存在している。
【００４０】
この場合、人感センサ６によって、ディスプレイ２が切り換え可能な４つの画面方向「ａ」、「ｂ」、「ｃ」、「ｄ」に対して、ディスプレイ２の画面を視認可能な人の存在とその人が存在する方向を検出した結果は、位置情報として、図３Ａの左側の表のように表される。この表では、４つの画面方向「ａ」、「ｂ」、「ｃ」、「ｄ」の夫々に対して、人が存在するときは「１」とし、人が存在しないときは「０」としている。この例では、４つの画面方向のうちの「ａ」とｂ」が「１」であり、「ｃ」とｄ」が「０」である。
【００４１】
図３Ｂは上記表示装置において縦横表示が可能なときの優先順位の例を示している。ここで、「縦横表示」とは、矩形状の表示領域の長辺側の２つの画面方向のときを横表示と、矩形状の表示領域の短辺側の２つの画面方向のときを縦表示の両方を表示可能なことを言う。
【００４２】
図３Ｂでは、矩形状の表示領域の長辺側の２つの画面方向を基準画面方向とする横モードであるとき、優先順位は、「ａ」、「ｃ」、「ｂ」、「ｄ」の順に設定されていると共に、矩形状の表示領域の短辺側の２つの画面方向を基準画面方向とする縦モードであるとき、優先順位は、「ｂ」、「ｄ」、「ａ」、「ｃ」の順に設定されている。
【００４３】
この実施の形態では、横モードと縦モードの両方に対応可能としたが、横モードまたは縦モードの一方のみに対応するものであってもよい。
【００４４】
また、図３Ｃは上記表示装置において縦横表示が不可のときの優先順位の例を示している。ここで、「縦横表示が不可」とは、矩形状の表示領域の長辺側の２つの画面方向のときを横表示と、矩形状の表示領域の短辺側の２つの画面方向のときを縦表示のいずれか一方のみが表示可能なことを言う。
【００４５】
図３Ｃでは、基準画面方向が横モードであるとき、優先順位は、「ａ」、「ｃ」の順に設定され、「ｂ」、「ｄ」は設定されていない。また、基準画面方向が縦モードであるとき、優先順位は、「ｂ」、「ｄ」の順に設定され、「ａ」「ｃ」は設定されていない。
【００４６】
ここで、「基準画面方向」および「縦横表示の可／不可」に関する情報は、画面表示を行うアプリケーションソフトウェアが有しているものとする。
【００４７】
図４は上記表示装置の制御装置１の表示動作を説明するフローチャートを示している。なお、この表示装置の起動時において、例として画面方向の初期設定を「ａ」としている。
【００４８】
図４に示すように、この表示動作の処理がスタートすると、ステップＳ１で人感センサ６の情報を取得する。
【００４９】
次に、ステップＳ２に進み、ステップＳ１で取得した情報(例えば図３Ａに示す表の内容)を位置情報としてＲＡＭ５に記憶する。
【００５０】
次に、ステップＳ３に進み、人判定部１aにより現在の画面方向に人がいるか否かを判定する。そして、ステップＳ３で現在の画面方向に人がいると判定すると、ステップＳ４に進み、現在の画面方向のままとして、ステップＳ１に戻る。
【００５１】
一方、ステップＳ３で現在の画面方向に人がいないと判定すると、ステップＳ５に進み、画面切換処理を行って、ステップＳ１に戻る。
【００５２】
次に、図５に示す画面方向切換処理のステップＳ１１では、基準画面方向にあった優先順位を選択する。すなわち、図３Ｂ,図３Ｃにおいて、基準画面方向が横モードか縦モードに応じた優先順位を選択する。
【００５３】
次に、ステップＳ１２に進み、縦横表示が可能と判定すると、ステップＳ１４に進む。
【００５４】
一方、ステップＳ１２で縦横表示が不可と判定すると、ステップＳ１３に進み、基準画面方向に合わない画面方向を除外する。すなわち、図３Ｃでは、基準画面方向が横モードのときは、「ｂ」、「ｄ」を除外し、基準画面方向が縦モードのときは、「ａ」、「ｃ」を除外する。
【００５５】
そして、ステップＳ１４では、図３Ｂに示す優先順位の最も高い画面方向を検索する。
【００５６】
次に、ステップＳ１５に進み、ステップＳ１４の検索結果に基づいて、該当する画面方向があると判定すると、ステップＳ１６に進む一方、該当する画面方向がないと判定すると、ステップＳ１７に進む。
【００５７】
そして、ステップＳ１６では、表示制御部１bにより該当する画面方向にディスプレイ２を切り換えて、この処理を終了する。
【００５８】
また、ステップＳ１７では、現在の画面方向のまま維持して、この処理を終了する。
【００５９】
このようにして、上記人判定部１aと表示制御部１bによって、人感センサ６の検出結果に基づいてディスプレイ２の画面方向を制御する。
【００６０】
上記表示装置において、「基準画面方向を横モードとし、縦横表示が可能な場合」を例にとって、以下に順を追って具体的に説明する。
【００６１】
この場合、図５に示すステップＳ１１の処理で、「ａ」→「ｃ」→「ｂ」→「ｄ」の優先順位が選ばれる。
【００６２】
ここで、基準画面方向である横方向に人がいない場合、つまり、画面方向「ａ」と「ｃ」に人がいない場合は、
(1)  「ｂ」か「ｄ」に人がいる(「ａ」＝０,「ｃ」＝０,「ｂ」＝０,「ｄ」＝１または「ａ」＝０,「ｃ」＝０,「ｂ」＝１,「ｄ」＝０)
(2)  「ｂ」にも「ｄ」にも人がいる(「ａ」＝０,「ｃ」＝０,「ｂ」＝１,「ｄ」＝１)
(3)  「ｂ」にも「ｄ」にも人がいない(「ａ」＝「ｂ」＝「ｃ」＝「ｄ」＝０)
の３通りのケースが考えられるが、上記(1)は、図５のステップＳ１５で「該当する画面方向があるか？」の部分で「ａ」→「ｃ」→「ｂ」→「ｄ」の優先順位の順に「１」かどうか検索すると、「ｂ」または「ｄ」が「１」なので「該当する画面方向」が存在し、「1」となっている「ｂ」または「ｄ」の方向に画面方向を切り換える。
【００６３】
上記(2)についても同じく「該当する画面方向がある」ことになるが、優先順位が「ｄ」よりも「ｂ」の方が高いため、「ｂ」が「該当する画面方向」になり、「ｂ」の方向に画面方向を切り換える。
【００６４】
また、上記(3)については、「ａ」→「ｃ」→「ｂ」→「ｄ」全て０であるので、図５のステップＳ１５で「該当する画面方向がない」と判定され、画面方向の切り換えを行わない。
【００６５】
次に、「基準画面方向を横モードとし、縦横表示が不可の場合」について説明する。
【００６６】
ここで、上記「基準画面方向を横モードとし、縦横表示が可能な場合」との違いは、縦横表示が不可のために「ａ」→「ｃ」→「ｂ」→「ｄ」の優先順位から「ｂ」,「ｄ」が除外され、「ａ」→「ｃ」の優先順位が選ばれることである。
【００６７】
これにより、画面方向「ａ」または「ｃ」に人がいない場合は、上記の(1),(2),(3)のどのケースでも「該当する画面方向がない」と判定され、画面方向の切り換えは行われない。
【００６８】
以下、図３(B),図３(C)の優先順位に従って、ディスプレイ２の画面方向の切り換えを行った場合の具体例を図６(A),(B)と図７(A)〜(C)で説明する。
【００６９】
図６(A)は現在の画面方向「ａ」に人が存在する場合を示す模式図を示し、図６(B)は図６(A)の状態から他の画面方向に人が増えた場合を示す模式図を示している。なお、図６(B)では、画面方向を示す「ａ」、「ｂ」、「ｃ」、「ｄ」は省略している。
【００７０】
図６(A)では、現在の画面方向「ａ」にひとりの人(丸印１)が存在している。そして、図６(A)の状態から他の画面方向「ｂ」に２番目の人(丸印２)が加わっても、図６(B)の左端のように、現在の画面方向「ａ」のままとなる。
【００７１】
次に、図６(B)の左端の状態から画面方向「ｂ」の２番目の人(丸印２)が画面方向「ｃ」に移動すると共に３番目の人(丸印３)が画面方向「ｃ」に加わっても、図６(B)の中央のように、１番目の人(丸印１)が存在する現在の画面方向「ａ」のままとなる。
【００７２】
次に、図６(B)の中央の状態から画面方向「ｃ」の２番目の人(丸印２)が画面方向「ｄ」に移動し、３番目の人(丸印３)が画面方向「ｃ」にそのまま存在するときも、図６(B)の右端のように、１番目の人(丸印１)が存在する現在の画面方向「ａ」のままとなる。
【００７３】
図７(A)は現在の画面方向に人が存在する場合を示す模式図を示し、図７(B)は縦横表示が可能な場合において図７(A)の状態の現在の画面方向から人がいなくなった場合を示す模式図を示し、図７(C)は縦横表示が不可の場合において図７(A)の状態の現在の画面方向から人がいなくなった場合を示す模式図を示している。なお、図７(B),図７(C)では、画面方向を示す「ａ」、「ｂ」、「ｃ」、「ｄ」は省略している。
【００７４】
〔縦横表示が可能な場合(横モード)〕
図７(A)では、現在の画面方向「ａ」にひとりの人(丸印１)が存在している。そして、図７(B)に示すように、図７(A)の状態から１番目の人(丸印１)が他の画面方向「ｂ」に移動すると、画面方向を「ｂ」に切り換える。
【００７５】
次に、画面方向「ｃ」に２番目の人(丸印２)が加わっても、１番目の人(丸印１)が存在する現在の画面方向「ｂ」のままとなる。
【００７６】
次に、１番目の人(丸印１)が画面方向「ｃ」に移動し、１番目の人(丸印１)と２番目の人(丸印２)が存在する画面方向「ｃ」に切り換える。
【００７７】
次に、１番目の人(丸印１)が画面方向「ｄ」に移動し、２番目の人(丸印２)が画面方向「ｃ」に残ると、２番目の人(丸印２)が存在する画面方向「ｃ」のままとなる。
【００７８】
〔縦横表示が不可の場合(横モード)〕
また、図７(C)に示すように、図７(A)の状態から１番目の人(丸印１)が他の画面方向「ｂ」に移動しても、横モードで縦表示(表示領域の短辺側を画像方向とする表示)が不可であるため、画面方向を「ａ」のままとなる。
【００７９】
次に、画面方向「ｃ」に２番目の人(丸印２)が加わると、横モードの優先順位が「ａ」→「ｃ」であるので、２番目の人(丸印２)が存在する画面方向「ｃ」に切り換わる。
【００８０】
次に、１番目の人(丸印１)が画面方向「ｃ」に移動し、１番目の人(丸印１)と２番目の人(丸印２)が存在する画面方向「ｃ」のままとなる。
【００８１】
次に、１番目の人(丸印１)が画面方向「ｄ」に移動し、２番目の人(丸印２)が画面方向「ｃ」に残ると、２番目の人(丸印２)が存在する画面方向「ｃ」のままとなる。
【００８２】
この実施の形態において、画面方向とは、例えば矩形状の表示領域において一方の辺側を画面の下とする方向のことであり、一方の長辺側を画面方向とすると、その画面方向に存在する人からは横長の表示領域として視認され、一方の短辺側を画面方向とすると、その画面方向に存在する人からは縦長の表示領域として視認される。
【００８３】
上記構成の表示装置によれば、ディスプレイ２が切り換え可能な複数の画面方向の夫々に対して、人感センサ６によりディスプレイ２の画面を視認可能な人の存在を検出する。そして、人感センサ６により検出されたディスプレイ２の画面を視認可能な人が、ディスプレイ２の現在の画面方向に存在すると人判定部１aが判定したとき、ディスプレイ２を制御する表示制御部１bは、ディスプレイ２の画面方向の切換を行わない。一方、人感センサ６により検出されたディスプレイ２の画面を視認可能な人が、ディスプレイ２の現在の画面方向に存在しないと人判定部１aが判定したとき、表示制御部１bにより人感センサ６の検出結果に基づいてディスプレイ２を制御して、ディスプレイ２の画面方向を人が存在する他の画面方向に切り換える。なお、他の画面方向にも人が存在しないときは、現在の画面方向を保つ。
【００８４】
これによって、ディスプレイ２の現在の画面方向に人が存在し続けるときは、画面を分割することなくディスプレイ２の画面方向はそのまま保たれるので、ディスプレイ２の現在の画面方向に人が存在し続けるときは、画面を分割することなくディスプレイ２の画面方向はそのまま保たれるので、移動していない利用者の操作／閲覧の妨げにならず、かつ、見やすい画面構成を保ったまま、画面の向きを切り換えないようにできる。
【００８５】
また、上記人感センサ６により検出されたディスプレイ２の画面を視認可能な人が複数存在しかつその複数の人が複数の画面方向に存在するとき、かつ、ディスプレイ２の現在の画面方向に人が存在しないと人判定部１aが判定したとき、表示制御部１bによりディスプレイ２を制御して、複数の画面方向のうちの優先順位の最も高い画面方向にディスプレイ２の画面方向を切り換える。したがって、予め設定された優先順位に従って、より適切な画面方向にディスプレイ２を切り換えることができる。
【００８６】
また、上記ディスプレイ２の表示領域２aの長辺側の２つの画面方向を基準画面方向とする横モードにおいて、人感センサ６により検出されたディスプレイ２の画面を視認可能な人が複数存在しかつその複数の人が複数の画面方向に存在するとき、かつ、ディスプレイ２の現在の画面方向に人が存在しないと人判定部１aが判定したとき、表示制御部１bによりディスプレイ２を制御して、複数の画面方向のうちの横モードの優先順位(表示領域の長辺側の２つの画面方向が他の画面方向よりも高く設定された優先順位)の最も高い画面方向にディスプレイ２の画面方向を切り換える。一方、表示領域の短辺側の２つの画面方向を基準画面方向とする縦モードにおいて、人感センサ６により検出されたディスプレイ２の画面を視認可能な人が複数存在しかつその複数の人が複数の画面方向に存在するとき、かつ、ディスプレイ２の現在の画面方向に人が存在しないと人判定部１aが判定したとき、表示制御部１bによりディスプレイ２を制御して、複数の画面方向のうちの縦モードの優先順位(表示領域の短辺側の２つの画面方向が他の画面方向よりも高く設定された優先順位)の最も高い画面方向にディスプレイ２の画面方向を切り換える。したがって、表示領域の長辺側の２つの画面方向が基準画面方向である横モードに対応した優先順位、および、表示領域の短辺側の２つの画面方向が基準画面方向である縦モードに対応した優先順位を用いることによって、より適切な画面方向にディスプレイ２を切り換えることができる。
【００８７】
また、縦横表示が不可で、かつ、表示領域の長辺側の２つの画面方向を基準画面方向とする横モードの場合、ディスプレイ２の現在の画面方向に人が存在せずかつ上記現在の画面方向に対向する画面方向に人が存在すると人判定部１aが判定したときは、表示制御部１bによりディスプレイ２の現在の画面方向に対向する画面方向に切り換える一方、表示領域の長辺側の２つの画面方向のいずれにも人が存在しないと人判定部１aが判定したときは、ディスプレイ２の画面方向を切り換えずに現在の画面方向のままとする。
【００８８】
一方、縦横表示が不可で、かつ、表示領域の短辺側の２つの画面方向を基準画面方向とする縦モードの場合、ディスプレイ２の現在の画面方向に人が存在せずかつ上記現在の画面方向に対向する画面方向に人が存在すると人判定部１aが判定したときは、表示制御部１bによりディスプレイ２の現在の画面方向に対向する画面方向に切り換える一方、表示領域の短辺側の２つの画面方向のいずれにも人が存在しないと人判定部１aが判定したときは、ディスプレイ２の画面方向を切り換えずに現在の画面方向のままとする。
【００８９】
したがって、表示領域の長辺側の２つの画面方向(基準画面方向)に切り換える横モードの優先順位、および、表示領域の短辺側の２つの画面方向(基準画面方向)に切り換える縦モードの優先順位を夫々の表示モードで用いることによって、基準画面方向に応じたより適切な画面方向にディスプレイ２を切り換えることができる。
【００９０】
なお、上記表示装置では、アプリケーションソフトウェアの起動時の初期状態は、縦モードにおいて、表示領域の長辺側の２つの画面方向のうちの一方に設定され、横モードにおいては、表示領域の短辺側の２つの画面方向のうちの一方に設定される。
【００９１】
また、この発明の表示方法は、
表示する画面を複数の画面方向に切り換え可能なディスプレイ２の複数の画面方向の夫々に対して、ディスプレイ２の画面を視認可能な人の存在を人感センサ６により検出するステップ(Ｓ１)と、
人感センサ６により検出されたディスプレイ２の画面を視認可能な人が、ディスプレイ２の現在の画面方向に存在するか否かを人判定部１aにより判定するステップ(Ｓ３)と、
人感センサ６により検出されたディスプレイ２の画面を視認可能な人が、ディスプレイ２の現在の画面方向に存在すると人判定部１aが判定したとき、表示制御部１bによりディスプレイ２を制御して、ディスプレイ２の画面方向を切り換えないステップ(Ｓ４)と、
人感センサ６により検出されたディスプレイ２の画面を視認可能な人が、ディスプレイ２の現在の画面方向に存在しないと人判定部１aが判定したとき、表示制御部１bによりディスプレイ２を制御して、ディスプレイ２の画面方向を人が存在する他の画面方向に切り換えるステップ(Ｓ５)と
を有することを特徴とする。
【００９２】
また、上記表示方法の各ステップをコンピュータに実行させる表示プログラム、または、コンピュータ読み取り可能な記録媒体に記録された上記表示プログラムの各ステップをコンピュータに実行させることによって、表示部であるディスプレイ２の現在の画面方向に人が存在し続けるときは、画面を分割することなくディスプレイ２の画面方向はそのまま保たれるので、移動していない利用者の操作／閲覧の妨げにならず、かつ、見やすい画面構成を保ったまま、画面の向きを切り換えないようにできる。
【００９３】
上記実施の形態では、矩形状の表示領域を有するディスプレイ２を備えた表示装置について説明したが、これに限らず、円形や三角形または五角以上の多角形の表示領域を有する表示部を備えた表示装置にこの発明を適用してもよい。
【００９４】
また、上記実施の形態では、基準画面方向が横モードであるかまたは縦モードであるかによって画面方向に異なる優先順位が設定される表示装置について説明したが、横モードまたは縦モードに関わらず、画面方向に同じ優先順位が設定される表示装置にこの発明を適用してもよいし、基準画面方向の横モードと縦モードを切り換え可能とする表示装置にこの発明を適用してもよい。
【００９５】
また、上記実施の形態では、縦横表示が可能な場合(基準画面方向が横モードまたは縦モードに関わらず全ての画面方向に優先順位が設定される場合)と縦横表示が不可の場合(基準画面方向が横モードまたは縦モードによって特定の画面方向に優先順位が設定されない場合)で表示動作が可能な表示装置について説明したが、縦横表示が可能な表示装置や縦横表示が不可の表示装置にこの発明を適用してもよい。
【００９６】
また、上記実施の形態では、矩形状の表示領域を有するディスプレイ２の各辺に対して、画面方向を設定可能とする表示装置について説明したが、矩形状の表示領域を有する表示部の少なくとも２辺に対して、画面方向を設定可能とする表示装置でもよい。
【００９７】
この発明の表示装置は、ハードウェアロジックによって構成してもよいし、次のようにソフトウェアによって実現してもよい。
【００９８】
すなわち、この発明の表示装置としては、各機能を実現する制御プログラム(表示プログラム)の命令を実行するＣＰＵ(central processing unit)、上記プログラムを格納したＲＯＭ(read only memory)、上記プログラムを展開するＲＡＭ(random access memory)、上記プログラムおよび各種データを格納するメモリー等の記憶装置(記録媒体)などを備える。
【００９９】
上記記録媒体としては、例えば、磁気テープやカセットテープ等のテープ系、フロッピー(登録商標)ディスク／ハードディスク等の磁気ディスクやコンパクトディスク−ＲＯＭ／ＭＯ(光磁気)／ＭＤ(ミニディスク)／デジタルビデオディスク／コンパクトディスク−Ｒ等の光ディスクを含むディスク系、ＩＣカード(メモリカードを含む)／光カード等のカード系、あるいはマスクＲＯＭ／ＥＰＲＯＭ／ＥＥＰＲＯＭ／フラッシュＲＯＭ等の半導体メモリー系などを用いることができる。
【０１００】
また、コンピュータを通信ネットワークと接続可能に構成し、上記プログラムコードを通信ネットワークを介して供給してもよい。
【０１０１】
この発明の具体的な実施の形態について説明したが、この発明は上記実施の形態に限定されるものではなく、この発明の範囲内で種々変更して実施することができる。
【符号の説明】
【０１０２】
１…制御装置
１a…人判定部
１b…表示制御部
２…ディスプレイ
２a…表示領域
３…タッチパネル
４…フラッシュメモリ
５…ＲＡＭ
６…人感センサ
【図１】
2014067278.tif 000003
【図２】
2014067278.tif 000004
【図３Ａ】
2014067278.tif 000005
【図３Ｂ】
2014067278.tif 000006
【図３Ｃ】
2014067278.tif 000007
【図４】
2014067278.tif 000008
【図５】
2014067278.tif 000009
【図６】
2014067278.tif 000010
【図７】
2014067278.tif 000011